(57)【要約】【課題】遊技装置に対するセキュリティを低下させることなく、シールが貼着された部材の脱着作業を容易に行うことが可能なシール貼着部材固定構造を提供することにある。【解決手段】シール貼着面５５を有するシール貼着部材４６は、その係止部とスロットマシン側に設けられる装着部４７の可撓性爪状係合部６７とを係合することにより、装着部４７に固定され、その反装着方向への移動が阻止される。シール貼着部材４６が装着部４７に固定された状態では、装着部４７の移動阻止部６６によりシール貼着部材４６の装着方向及び装着方向と交叉する方向への移動が阻止される。一方、移動阻止部６６の易切除片７２が切除された状態では、シール貼着部材４６の解除方向への移動によって係止部と可撓性爪状係合部６７との係合状態が解除されてシール貼着部材４６が装着部４７から離脱する。【選択図】図３
2008029683.tif 000002
【特許請求の範囲】
【請求項１】
遊技機に設けられた装着部にシール貼着部材を固定するシール貼着部材固定構造であって、
前記シール貼着部材は、シールが貼着されるシール貼着面と、第１係合部と、を備え、
前記装着部は、前記シール貼着部材が装着方向に沿って所定の固定位置へ移動することを許容すると共に前記固定位置の前記シール貼着部材がさらに前記装着方向へ移動すること及び前記装着方向と交叉する方向へ移動することを阻止する移動阻止部と、前記シール貼着部材が前記装着方向に沿って前記固定位置へ移動したとき前記第１係合部と係合して前記シール貼着部材の反装着方向への移動を阻止する第２係合部と、を備え、
前記シール貼着部材は、前記第１係合部と前記第２係合部との係合と前記移動阻止部とによって前記固定位置に固定され、
前記シール貼着面は、前記シール貼着部材が前記固定位置に固定された状態で外部に露出し、
前記移動阻止部は、前記装着方向と交叉する方向のうち所定の解除方向への前記シール貼着部材の移動を阻止する切除可能な易切除片を含み、
前記易切除片が切除された状態で、前記第１係合部と前記第２係合部とは前記固定位置から前記解除方向への前記シール貼着部材の移動を許容し、前記シール貼着部材の前記解除方向への移動によって前記第１係合部と前記第２係合部との係合状態が解除されて前記シール貼着部材が前記装着部から離脱する
ことを特徴とする遊技機のシール貼着部材固定構造。
【請求項２】
請求項１に記載のシール貼着部材固定構造であって、
前記シール貼着面は、前記第１係合部と前記第２係合部との係合状態を解除するための解除治具が挿入される治具挿入孔を有し、
前記治具挿入孔は、前記シール貼着面に貼着される前記シールによって閉塞されている
ことを特徴とする遊技機のシール貼着部材固定構造。
【請求項３】
装着部と、この装着部に固定されるシール貼着部材と、を備えた遊技機であって、
前記シール貼着部材は、シールが貼着されるシール貼着面と、第１係合部と、を備え、
前記装着部は、前記シール貼着部材が装着方向に沿って所定の固定位置へ移動することを許容すると共に前記固定位置の前記シール貼着部材がさらに前記装着方向へ移動すること及び前記装着方向と交叉する方向へ移動することを阻止する移動阻止部と、前記シール貼着部材が前記装着方向に沿って前記固定位置へ移動したとき前記第１係合部と係合して前記シール貼着部材の反装着方向への移動を阻止する第２係合部と、を備え、
前記シール貼着部材は、前記第１係合部と前記第２係合部との係合と前記移動阻止部とによって前記固定位置に固定され、
前記シール貼着面は、前記シール貼着部材が前記固定位置に固定された状態で外部に露出し、
前記移動阻止部は、前記装着方向と交叉する方向のうち所定の解除方向への前記シール貼着部材の移動を阻止する切除可能な易切除片を含み、
前記易切除片が切除された状態で、前記第１係合部と前記第２係合部とは前記固定位置から前記解除方向への前記シール貼着部材の移動を許容し、前記シール貼着部材の前記解除方向への移動によって前記第１係合部と前記第２係合部との係合状態が解除されて前記シール貼着部材が前記装着部から離脱する
ことを特徴とする遊技機。
【発明の詳細な説明】
【技術分野】
【０００１】
本発明は、パチンコ機やスロットマシンの遊技機に貼着される管理番号や銘番等が付されたシールの貼着構造に関する。
【背景技術】
【０００２】
一般に、スロットマシンやパチンコ機の遊技機には、制御装置や液晶表示装置等の遊技装置が設けられ、各遊技機には、これら遊技装置を識別するための固有の番号（例えば、管理番号や銘番等）が刻印等されたシールが貼着される。このシールを遊技機に対して貼着する構造としては、シールをシール貼着用の部材に貼着し、当該部材を遊技機側に装着する方法が知られている。
【０００３】
【特許文献１】特開２００２−２７２９０９号公報
【特許文献２】特開２００３−１９０４４１号公報
【発明の開示】
【発明が解決しようとする課題】
【０００４】
上記シール貼着用の部材は、当該部材の不正な交換の抑止（セキュリティの向上）を図る観点から、遊技機の所定位置に装着すると、当該部材を破損することなく遊技機側から離脱することが困難な構造を有している。
【０００５】
ここで、一般に、上記シールは、貼着後に剥がすと、その痕跡が残り、再使用することが極めて困難な構造を有している。このため、シールをシール貼着用の部材に貼着し、当該部材を遊技機側に装着すると、当該シール及びシール貼着用の部材を再使用することが困難である。
【０００６】
また、シールが貼着されたシール貼着用の部材は、遊技装置と当該遊技装置が設置される遊技機との同一性を確保し、セキュリティの向上を図る観点から、当該遊技機の設置される遊技場側（ホール側）で管理される。このため、シールの再使用が要求される場合、例えば、遊技装置の故障等により当該遊技装置を製造メーカ側で交換する場合には、遊技場側において、遊技機を製造メーカに搬送する前に、シールが貼着されたシール貼着用の部材を遊技機から取り外し、遊技装置の交換が行われて遊技場側に搬入された後に、当該部材を再度遊技機に装着する必要がある。しかし、このような構造では、上記理由から遊技場側でシール貼着用の部材の脱着作業を行うことが困難である。
【０００７】
かかる不都合は、シール貼着用の部材が装着された遊技機側の部材のみを破損させて、このシール貼着用の部材を遊技機側から離脱することにより回避することが可能である。しかし、このような破損が困難な場合には、却ってその作業の煩雑化を招く。
【０００８】
そこで、本発明は、上記課題を解決するためになされたものであり、その目的は、遊技装置に対するセキュリティを低下させることなく、シールが貼着された部材の脱着作業を容易に行うことが可能なシール貼着部材固定構造を提供することにある。
【課題を解決するための手段】
【０００９】
上記目的を達成するため、本発明は、遊技機に設けられた装着部にシール貼着部材を固定するシール貼着部材固定構造であって、シール貼着部材は、シールが貼着されるシール貼着面と、第１係合部と、を備えている。装着部は、シール貼着部材が装着方向に沿って所定の固定位置へ移動することを許容すると共に固定位置のシール貼着部材がさらに装着方向へ移動すること及び装着方向と交叉する方向へ移動することを阻止する移動阻止部と、シール貼着部材が装着方向に沿って固定位置へ移動したとき第１係合部と係合してシール貼着部材の反装着方向への移動を阻止する第２係合部と、を備えている。シール貼着部材は、第１係合部と第２係合部との係合と移動阻止部とによって固定位置に固定される。シール貼着面は、シール貼着部材が固定位置に固定された状態で外部に露出する。移動阻止部は、装着方向と交叉する方向のうち所定の解除方向へのシール貼着部材の移動を阻止する切除可能な易切除片を有する。易切除片が切除された状態で、第１係合部と第２係合部とは固定位置から解除方向へのシール貼着部材の移動を許容し、シール貼着部材の解除方向への移動によって第１係合部と第２係合部との係合状態が解除されてシール貼着部材が装着部から離脱する。
【００１０】
上記構成では、シール貼着面を有するシール貼着部材は、その第１係合部と遊技機側に設けられる装着部の第２係合部とを係合することにより、固定位置に配置されて反装着方向への移動が阻止される。シール貼着部材が固定位置に配置された状態では、装着部の移動阻止部によりシール貼着部材の装着方向及び装着方向と交叉する方向への移動が阻止される。一方、移動阻止部の易切除片が切除された状態では、シール貼着部材の解除方向への移動によって第１係合部と第２係合部との係合状態が解除されてシール貼着部材が装着部から離脱する。このため、装着部に装着されたシール貼着部材は、移動阻止部の易切除片の切除により、破損させることなく装着部から容易に離脱させることができる。一方、装着部から離脱したシール貼着部材は、シール貼着部材の離脱後、新たな易切除片を有する装着部を遊技機に取り付けることにより、再度装着部に対して容易に装着させることができる。従って、シール貼着部材の装着部に対する脱着を容易に行うことが可能なため、シール貼着部材を再使用する際の作業性の向上を確実に図ることができる。また、かかる構造により、遊技装置を製造メーカで交換する等、遊技場側でシール貼着部材の脱着を行う場合において、遊技場側でのその脱着作業の容易化を確実に図ることができる。
【００１１】
また、シール貼着部材は、易切除片の切除により装着部から離脱することができるため、シール貼着部材が装着部から離脱された場合に、その痕跡を明確に視認することが可能である。すなわち、シール貼着部材の不正な交換が行われた場合には、必ずその痕跡が遊技機側に残るため、当該不正行為を早期に発見することができる。従って、シール貼着部材に貼着されるシールの同一性が確保されるため、遊技装置に対するセキュリティの向上を確実に図ることができる。
【００１２】
シール貼着面には、第１係合部と第２係合部との係合状態を解除するための解除治具が挿入される治具挿入孔を形成してもよく、治具挿入孔は、シール貼着面に貼着されるシールによって閉塞されていてもよい。
【００１３】
上記構成では、シール貼着部材は、その治具挿入孔に解除治具を挿入し、第１係合部と第２係合部との係合状態を解除することにより、装着部から反装着方向に離脱することができる。すなわち、装着部を破損させることなく、シール貼着部材を装着部から離脱することが可能なため、シール貼着部材に貼着されるシールの内容のみを変更するとき、例えば、遊技装置をリユースするときに、そのリユース品に対応するシールが貼着された新たなシール貼着部材と既存のシール貼着部材との交換のみでシールの交換作業を完了させることができる。従って、遊技装置のリユース時において、シールの交換作業の簡略化を図ることができると共に、シールの交換後に発生する不要な部材を最小限に抑えることができる。
【００１４】
また、解除治具によるシール貼着部材の交換は、シールにより閉塞される治具挿入孔に解除治具を挿入することにより行われる。すなわち、シールの交換作業を行う際、シール貼着部材に貼着された交換前のシールを貫通（破損）しなければ、当該シール貼着部材を装着部から離脱することができず、また、その痕跡は視認可能な状態で残るため、シール貼着部材の不正な離脱を効果的に抑止することができる。従って、このような不正行為を行う者に対し、心理的な不正抑制効果を与えることができ、セキュリティの向上に寄与する。
【００１５】
また、遊技機は、装着部と、この装着部に固定されるシール貼着部材と、を備えてもよい。
【００１６】
上記構成では、遊技機に装着部とシール貼着部材が備えられている。すなわち、遊技機に配置されるありとあらゆる遊技装置に装着部とシール貼着部材とを有する構造を採用することが可能である。従って、かかる構造を採用した遊技装置において、セキュリティの低下を伴うことなく、シール貼着部材の脱着作業の容易化を図ることができる。
【発明の効果】
【００１７】
本発明によれば、遊技装置に対するセキュリティを向上をさせることができ、且つシール貼着部材の脱着作業を容易に行うことができる。
【発明を実施するための最良の形態】
【００１８】
以下、図面を参照して、遊技機設置営業店等の場所に設置され、遊技媒体の供給に基づいて遊技者に遊技を行わせる遊技機の構成及び動作について説明する。
【００１９】
なお、本実施形態では、遊技媒体としてメダルを用いる回胴式遊技機（パチスロ機）を例に挙げて説明するが、本発明は、パチンコ玉を遊技媒体とした弾球遊技機にも適用可能である。また、「メダル（遊技媒体）投入」には、実際にメダル投入口にメダルを投入することの他に、クレジットされたメダルをベットボタン等によりベットすることを含む。さらに、本実施形態では、電子抽選によって当選役に当たったことを当選、当選した当選役に対応したリール絵柄を入賞有効ライン上に揃えることが可能な状態を内部入賞、内部入賞した当選役に対応したリール絵柄が入賞有効ライン上に揃った状態を入賞として説明する。
【００２０】
以下、図１及び図２を参照して、本実施形態に係るスロットマシンについて説明する。
【００２１】
［スロットマシンの外部的構成］
スロットマシン（遊技機）１は、前面に開口部を有する四角箱状の本体キャビネット２と、本体キャビネット２の内部に左右方向に設けられ、この内部を上段側と下段側とに仕切る中板（図示省略）と、本体キャビネット２の上段側の開口部を前方（遊技者側）から塞ぐ上扉３と、本体キャビネット２の下段側の開口部を前方から塞ぐ下扉４と、を備えている。上扉３は、ロック機能付きで且つ開閉自在となるように本体キャビネット２の上段側の前面に対し、ヒンジ部５を介して着脱自在に装着されている。下扉４は、上扉３と同様に、ロック機能付きで且つ開閉自在となるように本体キャビネット２の下段側の前面に対し、ヒンジ部（図示省略）を介して着脱自在に装着されている。
【００２２】
上扉３には、表示窓１１が形成され、この表示窓１１には、上扉３内の前面領域１２を覆う透明なカバー２８が装着されている。カバー２８に覆われた前面領域１２には、後述する３個の回転リール３２の図柄３５を露出して遊技者に視認させる図柄表示窓１３が形成されている。また、この図柄表示窓１３と回転リール３２との間には、略矩形状の画像表示装置１８が設けられている。
【００２３】
上扉３には、上記画像表示装置１８の他に、スピーカ１７、複数のランプ１９、及び複数のＬＥＤ２０等が設けられている。下扉４には、遊技者の入力操作を受け付けるスイッチ類、メダル投入口１４、メダル払出口１５、及びメダル受け皿１６等が設けられている。スイッチ類は、ベットスイッチ２１、清算スイッチ２２、スタートスイッチ２３、及びストップスイッチ２４を含む。
【００２４】
画像表示装置１８は、上扉３の本体キャビネット２側の後面に対してビス等により固定され、ＥＬパネル等の光透過性を有する画像表示パネルを備えている。この画像表示装置１８は、上扉３に対して固定された状態で、図柄表示窓１３を後方（本体キャビネット２側）から覆う。画像表示パネルには、後述する制御装置３０の副制御装置の制御により、入賞等の遊技状態を遊技者に報知するための様々な演出画像が表示される。なお、画像表示装置１８の表示画面として、本実施形態では、ＥＬパネルを用いている。
【００２５】
本実施形態では、遊技者が遊技中であるとき、即ち、回転リール３２が回転しているときに、画像表示パネルに演出画像が表示される。これにより、遊技者は、画像表示パネルに表示された演出画像を介して回転リール３２の図柄３５を視ることができ、意外性のある演出やインパクトのある演出を行うことが可能となっている。なお、この演出画像は、リーチ状態が発生した場合において、画像表示パネルに表示されるようにすることも可能である。ここで、リーチ状態とは、３個の回転リール３２のうち１個の回転リール３２が表示結果を導出表示していない状態であって、且つ導出表示されている他の２個の回転リール３２の表示結果が当たり停止表示の態様の条件を満たしている状態をいう。また、遊技者が遊技中でないとき、例えば、回転リール３２の回転が所定時間以上回転しないときには、画像表示パネルに遊技者の要望に沿った多種多様な情報（例えば、遊技機の選択のための判断材料となる情報）を表示することも可能である。これにより、遊技者は予め遊技台の特徴を把握できると共に、遊技者の要望に沿った遊技機を容易に選択することができる。
【００２６】
スピーカ１７は、上扉３の図柄表示窓１３の上方に配置されている。
【００２７】
ランプ１９及びＬＥＤ２０は、発光体の点灯又は点滅によって遊技状態を遊技者に報知し、スピーカ１７は、音声の発生によって遊技状態を遊技者に報知する。
【００２８】
メダル投入口１４は、遊技者側から視て、下扉４の右上端部に位置し、メダル投入口１４の内部には、投入された遊技メダルを検知する投入スイッチ（図示省略）が設けられている。
【００２９】
ベットスイッチ２１は、下扉４の左上端部に位置し、貯留メダル数を減じてメダル投入に代えるための押下入力を受ける。
【００３０】
清算スイッチ２２は、ベットスイッチ２１の左側方に位置し、貯留した投入メダルを払い出すための押下入力を受け付ける。
【００３１】
スタートスイッチ２３は、清算スイッチ２２の斜め下方に位置し、遊技メダルの投入若しくはベットスイッチ２１の投入を条件に、または、「再遊技（Ｒｅｐｌａｙ）」時には前遊技から所定時間経過を条件に、回転リール３２を始動（後述するリールユニット３１の駆動を開始）させるための入力を受け付ける。なお、「再遊技（Ｒｅｐｌａｙ）」とは、後述する制御装置３０の主制御装置の抽選により、「再遊技（Ｒｅｐｌａｙ）」のフラグが成立し、「再遊技（Ｒｅｐｌａｙ）」の図柄が入賞有効ライン上に揃うことにより、次の遊技において、遊技メダルを新たに投入することなく、再度、遊技を行うことができるものである。
【００３２】
ストップスイッチ２４は、リールユニット３１の駆動を停止させるための入力を受け付ける。具体的には、ストップスイッチ２４は、各回転リール３２に対応した３個のスイッチから構成され、各回転リール３２の下方に１個ずつ配置されている。回転リール３２に対応したストップスイッチ２４が押下されると、当該対応した回転リール３２の回転が停止する。
【００３３】
［スロットマシンの内部的構成］
上扉３の後面には、上記画像表示装置１８の他、スロットマシン１の全体の動作を制御するための制御装置３０が設けられている。本体キャビネット２の上段側の内部空間には、リールユニット３１が設けられている。本体キャビネット２の下段側の内部空間には、ホッパーユニット（図示省略）が設けられている。
【００３４】
制御装置３０は、ＣＰＵを中心に構成され、ＲＯＭ、ＲＡＭ、Ｉ／Ｏ等を備えている。ＣＰＵは、一個に限定されず、複数であってもよい。また、ＣＰＵ、ＲＯＭ、ＲＡＭ、Ｉ／Ｏ等は一体化したワンチップを構成してもよい。
【００３５】
制御装置３０は、主制御装置と、主制御装置からの信号を受信して作動する副制御装置とを有し、ＣＰＵがＲＯＭに記憶されたプログラムを読み込むことで各処理を実行する。主制御装置は遊技制御装置を含み、副制御装置は演出制御装置を含む。遊技制御装置は、スタートスイッチ２３及びストップスイッチ２４が押下されることにより、回転リール３２の回転及び停止を制御する。演出制御装置は、遊技状態に応じて、画像表示装置１８、ランプ１９、ＬＥＤ２０、及びスピーカ１７を制御する。このように、遊技の進行に関する処理を実行する遊技制御装置と演出に関する処理を実行する演出制御装置とを別個に設けることにより、演出制御に当てられるメモリを大幅に増やすことができると共に、演出の態様のみを容易に変更することができる。
【００３６】
遊技制御装置は、投入スイッチ、ベットスイッチ２１、清算スイッチ２２、スタートスイッチ２３、及びストップスイッチ２４からの検出信号を受信し、所定の内部処理の結果を演出制御装置へ出力する。演出制御手段は、遊技制御装置から受信した信号に基づいて、リールユニット３１、ホッパーユニット、画像表示装置１８、ランプ１９、ＬＥＤ２０、及びスピーカ１７に対して制御信号を出力する。
【００３７】
リールユニット３１は、本体キャビネット２に設けられる中板に固定或いは支持された３個のモータ（図示省略）と、各々のモータの出力軸に固定された３個の回転リール３２とから構成されている。各回転リール３２は、合成樹脂からなる回転ドラム３３と、回転ドラム３３の周囲に貼付されるテープ状のリールテープ３４とを備えている。このリールテープ３４の外周面には、複数個（例えば２１個）の図柄３５が表示されている。各回転リール３２の図柄３５のうち、前側に位置する図柄３５が画像表示装置１８を介して図柄表示窓１３から露出し、遊技者から視認可能となる。
【００３８】
ホッパーユニットは、遊技の結果に基づいて、遊技者にメダルを払い出す。
【００３９】
図２及び図３に示すように、上扉３の後面の下部には、上扉３の左右方向の幅と略同一の幅を有する下部フレーム４１が取り付けられている。下部フレーム４１は、上扉３の後面に対して固着される側板部４２と、側板部４２の上端から上扉３側へ向かって延びる上板部４３と、側板部４２の下端から本体キャビネット２（図１参照）側へ向かって延びる下板部４４と、を備えている。
【００４０】
側板部４２の所定位置には、上扉３に取り付けるための複数の上扉取付用孔４５が形成されている。下部フレーム４１は、上扉取付用孔４５にビス等を挿通して上扉３に対して固着された状態で、画像表示装置１８の下方に配置される。
【００４１】
上板部４３の略中央の位置には、後述するシール貼着部材４６を着脱することが可能な装着部４７が立設されている。この装着部４７は、シール貼着部材４４と共に、シール貼着部材固定構造４８を構成する。また、下部フレーム４１が上扉３に対して固定され、且つ上扉３により本体キャビネット２（図１参照）の上段側の開口部が塞がれた状態では、下板部４４の下面が本体キャビネット２の中板の上方に配置される。
【００４２】
図２〜図４に示すように、シール貼着部材４６は、装着部４７側の面に開口部を有する中空の略箱型形状を有し、基板５１と、係止部（第１係合部）５２と、枠状のガイド部５３と、を備えている。
【００４３】
基板５１は、略板状に形成され、複数のシール５４を貼着可能なシール貼着面５５を有する。シール貼着面５５は、シール貼着部材４６が装着部４７に装着され、且つ本体キャビネット２（図１参照）に対して上扉３が開放された状態で外部に露出する。
【００４４】
シール貼着面５５に貼着されるシール５４には、画像表示装置１８の銘番や遊技場側（ホール側）で画像表示装置１８を管理するための管理番号等が刻印され、このシール５４は、貼着後に剥がすと、その痕跡が残り、再使用することが極めて困難な構造を有する。このため、シール５４がシール貼着部材４６に貼着されている場合において、このシール貼着部材４６は、画像表示装置１８と当該画像表示装置１８が設置されるスロットマシン１との同一性を確保する観点から、当該遊技機の設置される遊技場側で管理される。従って、シール５４の再使用が要求される場合、例えば、画像表示装置１８の故障等により上扉３を本体キャビネット２（図１参照）から取り外して、画像表示装置１８を製造メーカ側で交換する場合に、シール貼着部材４６は、遊技場側において、上扉３を製造メーカに搬送する前に装着部４７から取り外され、画像表示装置１８の交換が行われて遊技場側に搬入された後に再度装着部４７に装着される。
【００４５】
係止部５２は、断面略Ｌ字形状を有し、起立片５７と、係止片５８と、を有する。起立片５７は、略板形状を有し、基板５１の後面から突出して形成されている。この起立片５７は、シール貼着部材４６を装着部４７に固定した状態で、後述する治具挿入孔６２の開口周縁のうち易切除片７２側と近接した位置に配置されている。係止片５８は、切欠き部５９を有し、シール貼着部材４６が装着部４７に固定された状態で、起立片５７の先端から後述する装着部４７の側壁部７１側へ曲折して延びている。
【００４６】
切欠き部５９は、係止片５８の上下方向の略中央の位置で左右方向に切り欠かれ、シール貼着部材４６が装着部４７に固定された状態で、係止片５８のうち後述する装着部４７の側壁部７１側で開口する。切欠き部５９の上下方向の幅は、後述する装着部４７の可撓性爪状係合部（第２係合部）６７が撓み変形しながら挿入可能で、且つその爪部７６が係止片５８と係合可能な寸法に設定されている。
【００４７】
ガイド部５３は、上壁部６３、側壁部６０及び底壁部６１を有し、係止部５２の周囲で且つ基板５１の裏面から装着部４７側へ向けて突出して形成されている。
【００４８】
基板５１の所定位置には、シール貼着面５５とその後面とを貫通し、ニッパ等の治具が挿入可能な複数（本実施形態では上下方向に２箇所）の治具挿入孔６２が形成されている。  治具挿入孔６２は、シール貼着面５５に貼着されるシール５４により閉塞される。このため、シール５４がシール貼着面５５に貼着された状態では、シール５４を貫通（破損）することなく、治具挿入孔６２に治具を挿入することが不可能な構造となっている。
【００４９】
シール貼着部材４６の装着部４７からの離脱は、治具挿入孔６２に治具を挿入して後述する装着部４７の可撓性爪状係合部６７の側面を外方向から押圧し、この可撓性爪状係合部６７とシール貼着部材４６の係止部５２との係合を解除することにより行うことが可能となっている。
【００５０】
装着部４７は、移動阻止部６６と、係合部としての可撓性爪状係合部６７と、を備えている。
【００５１】
移動阻止部６６は、奥壁部６８と、上壁部６９と、下壁部７０と、側壁部７１と、易切除片７２と、を有する。
【００５２】
奥壁部６８は、下部フレーム４１の上板部４３の上扉３側の端部から上方へ延びている。上壁部６９は、上板部４３と対向して配置され、奥壁部６８の上端から本体キャビネット２（図１参照）側へ向けて延びている。下壁部７０は、上板部４３のうち上壁部６９と対向する位置に設けられている。側壁部７１は、奥壁部６８の左右方向の一端から本体キャビネット２側へ向けて延び、上壁部６９と下壁部７０とを連結する。易切除片７２は、側壁部７１と対向して配置され、奥壁部６８の左右方向の他端から本体キャビネット２側へ向けて延びている。この易切除片７２は、その奥壁部６８との連結部分が比較的容易に切除可能な形状を有し、シール貼着部材４６の易切除片７２の配置方向（以下、解除方向と称す）へのスライド移動を阻止する。
【００５３】
移動阻止部６６は、シール貼着部材４６のガイド部５３が挿入可能な内周形状を有し、この内周形状は、上壁部６３、側壁部６０及び底壁部６１により形成されるガイド部５３の外周形状よりも僅かに大きく設定されている。
【００５４】
可撓性爪状係合部６７は、下部フレーム４１が上扉３に対して固定された状態で、奥壁部６８の略中央の位置から本体キャビネット２（図１参照）側へ向かって突出し、上下方向に対向して設けられている。この可撓性爪状係合部６７の先端部には、後述するシール貼着部材４６に形成された係止部５２と係合可能な爪部７６が形成されている。
【００５５】
図４及び図５に示すように、装着部４７に対するシール貼着部材４６の装着は、先ず、シール貼着部材４６のガイド部５３を装着部４７の上壁部６９、下壁部７０、側壁部７１及び易切除片７２により区画される領域に挿入する。次に、ガイド部５３によりガイドされた状態で、シール貼着部材４６を奥壁部６８側に向かって押圧すると、装着部４７の可撓性爪状係合部６７は、撓み変形によって、その爪部７６がシール貼着部材４６の係止部５２と係合し、これにより、シール貼着部材４６は、装着部４７に対して固定される。
【００５６】
この状態では、シール貼着部材４６の上壁部６３と、一方の側壁部６０と、底壁部６１とが装着部４７の上壁部６９と、側壁部７１と、下壁部７０とにそれぞれ当接し、また、基板５１の易切除片７２側の端部と、上壁部６３、側壁部６０及び底壁部６１の先端部とが、それぞれ装着部４７の易切除片７２と、奥壁部６８とに当接する。
【００５７】
次に、シールが貼着されたシール貼着部材の装着部からの離脱について、シールの再使用が要求される場合と、要求されない場合とに分けて、図５〜図１０に基づいて説明する。
【００５８】
図５〜図８に示すように、シール５４の再使用が要求される場合、例えば、上述のように、画像表示装置１８の故障等により上扉３を本体キャビネット２（図１参照）から取り外して、画像表示装置１８を製造メーカ側で交換する場合等には、先ず、装着部４７の易切除片７２を切除する。次に、シール貼着部材４６を解除方向へスライド移動させる。この移動により、シール貼着部材４６の係止部５２は、その切欠き部５９の形状に沿って装着部４７の可撓性爪状係合部６７上を移動する。このため、シール貼着部材４６を所定位置までスライド移動させると、可撓性爪状係合部６７が係止部５２の切欠き部５９の開口から離脱して、シール貼着部材４６の係止部５２と装着部４７の可撓性爪状係合部６７との係合状態が解除される。その後、シール貼着部材４６を反装着方向へ移動することにより、シール貼着部材４６が装着部４７から離脱される。
【００５９】
なお、上記シール貼着部材４６は、易切除片７２を有する新たな下部フレーム４１を上扉３に取り付けることにより、再度装着部４７に固定することが可能である。
【００６０】
一方、図９及び図１０に示すように、シール５４の再利用が要求されない場合、例えば、画像表示装置１８をリユースする場合等には、シール５４をシール貼着部材４６から剥がし、基板５１のシール貼着面５５に形成された治具挿入孔６２にニッパ等の治具を挿入する。次に、治具により装着部４７の可撓性爪状係合部６７の側面を外方向から押圧し、この可撓性爪状係合部６７とシール貼着部材４６の係止部５２との係合を解除する。この状態で、シール貼着部材４６を反装着方向へ移動することにより、シール貼着部材４６が装着部４７から離脱される。なお、治具挿入孔６２への治具の挿入は、シール５４をシール貼着部材４６から剥がす場合に限られず、シール５４を剥がすことなく、直接シール５４を貫通することにより行うことも可能である。
【００６１】
このように、本実施形態によれば、シール貼着面５５を有するシール貼着部材４６は、その係止部５２と上扉３側に設けられる装着部４７の可撓性爪状係合部６７とを係合することにより、装着部４７に装着され、その反装着方向への移動が阻止される。シール貼着部材４６が装着部４７に装着された状態では、装着部４７の移動阻止部６６によりシール貼着部材４６の装着方向及び装着方向と交叉する方向への移動が阻止される。一方、移動阻止部６６の易切除片７２が切除された状態では、シール貼着部材４６の解除方向への移動によって係止部５２と可撓性爪状係合部６７との係合状態が解除されてシール貼着部材４６が装着部４７から離脱する。このため、装着部４７に装着されたシール貼着部材４６は、移動阻止部６６の易切除片７２の切除により、破損させることなく装着部４７から容易に離脱させることができる。一方、装着部４７から離脱したシール貼着部材４６は、シール貼着部材４６の離脱後、易切除片７２を有する新たな下部フレーム４１を上扉３に取り付けることにより、再度装着部４７に対して容易に装着させることができる。従って、シール貼着部材４６の装着部４７に対する脱着を容易に行うことが可能なため、シール貼着部材４６を再使用する際の作業性の向上を確実に図ることができる。また、かかる構造により、画像表示装置１８を製造メーカで交換する等、遊技場側でシール貼着部材４６の脱着を行う場合において、遊技場側でのその脱着作業の容易化を確実に図ることができる。
【００６２】
また、シール貼着部材４６は、易切除片７２の切除により装着部４７から離脱することができるため、シール貼着部材４６が装着部４７から離脱された場合に、その痕跡を明確に視認することが可能である。すなわち、シール貼着部材４６の不正な交換が行われた場合には、必ずその痕跡が装着部４７（スロットマシン１）側に残るため、当該不正行為を早期に発見することができる。従って、シール貼着部材４６に貼着されるシール５４の同一性が確保されるため、画像表示装置１８に対するセキュリティの向上を確実に図ることができる。
【００６３】
シール貼着部材４６は、その治具挿入孔６２にニッパ等の解除治具を挿入し、シール貼着部材４６の係止部５２と装着部４７の可撓性爪状係合部６７との係合状態を解除することにより、装着部４７から反装着方向に離脱することができる。すなわち、装着部４７を破損させることなく、シール貼着部材４６を装着部から離脱することが可能なため、シール貼着部材４６に貼着されるシール５４の内容のみを変更するとき、例えば、画像表示装置１８をリユースするときに、そのリユース品に対応するシール５４が貼着された新たなシール貼着部材４６と既存のシール貼着部材４６との交換のみでシール５４の交換作業を完了させることができる。従って、画像表示装置１８のリユース時において、シール５４の交換作業の簡略化を図ることができると共に、シール５４の交換後に発生する不要な部材を最小限に抑えることができる。
【００６４】
また、解除治具によるシール貼着部材４６の交換は、シール５４により閉塞される治具挿入孔６２に解除治具を挿入することにより行われる。すなわち、シール５４の交換作業を行う際、シール貼着部材４６に貼着された交換前のシール５４を貫通（破損）しなければ、当該シール貼着部材４６を装着部４７から離脱することができず、また、その痕跡は視認可能な状態で残るため、シール貼着部材４６の不正な離脱を効果的に抑止することができる。従って、このような不正行為を行う者に対し、心理的な不正抑制効果を与えることができ、セキュリティの向上に寄与する。
【００６５】
なお、本実施形態では、係止部５２と可撓性爪状係合部６７とを、それぞれシール貼着部材４６と装着部４７とに設けたが、それぞれ装着部４７とシール貼着部材４６とに設けてもよい。
【００６６】
また、シール貼着部材４６及び装着部４７をスロットマシン１に採用したが、パチンコ機等他の遊技機に採用することも可能である。
【００６７】
さらに、シール貼着部材４６が装着される装着部４７を、シール５４が示す遊技装置（画像表示装置１８）とは異なる部材（下部フレーム４１）に設けたが、直接遊技装置に設けてもよい。
【００６８】
以上、本発明者によってなされた発明を適用した実施の形態について説明したが、この実施の形態による本発明の開示の一部をなす論述及び図面により本発明は限定されることはない。すなわち、この実施の形態に基づいて当業者等によりなされる他の実施の形態、実施例及び運用技術等は全て本発明の範疇に含まれることは勿論であることを付け加えておく。
【図面の簡単な説明】
【００６９】
【図１】本発明の一実施形態に係る遊技機の外観正面図である。
【図２】上扉の背面斜視図である。
【図３】シール貼着部材固定構造の分解斜視図である。
【図４】シール貼着部材の背面斜視図である。
【図５】シール貼着部材と装着部との組付状態を示す要部拡大斜視図である。
【図６】装着部の易切除片を除去した状態を示す要部拡大斜視図である
【図７】易切除片の切除後に、シール貼着部材をスライド移動させた状態を示す要部拡大斜視図である。
【図８】易切除片の切除によるシール貼着部材の離脱を示す要部拡大斜視図である。
【図９】シール貼着部材に貼着されたシールを除去した状態を示す要部拡大斜視図である。
【図１０】解除治具によるシール貼着部材の離脱を示す要部拡大斜視図である。
【符号の説明】
【００７０】
１…スロットマシン（遊技機）、３…上扉、１８…画像表示装置、４１…下部フレーム４６…シール貼着部材、４７…装着部、４８…シール貼着部材固定構造、５２…係止部（第１係合部）、５４…シール、５５…シール貼着面、６２…治具挿入孔、６６…移動阻止部、６７…可撓性爪状係合部（第２係合部）、７２…易切除片
【図１】
2008029683.tif 000003
【図２】
2008029683.tif 000004
【図３】
2008029683.tif 000005
【図４】
2008029683.tif 000006
【図５】
2008029683.tif 000007
【図６】
2008029683.tif 000008
【図７】
2008029683.tif 000009
【図８】
2008029683.tif 000010
【図９】
2008029683.tif 000011
【図１０】
2008029683.tif 000012